(57)【要約】【課題】回転軸受付き直動軸受を構成する部品としての汎用性に優れる回転軸受を提供すること。【解決手段】外周面に周溝１１を備える内周側環状体１２、前記周溝に各々底部が収容された複数の転動体１３、および各転動体の頂部を収容する周溝１４を内周面に備える外周側環状体１５からなる回転軸受であって、上記内周側環状体１２の一方の端部が延長されて環状の取付部１２ａを形成していることを特徴とする、この環状取付部１２ａを外筒の内周面に複数の転動体を装着してなる直動軸受の前記外筒の端部に嵌め合わせて使用する回転軸受。【選択図】図２
2011106640.tif 000002
【特許請求の範囲】
【請求項１】
外周面に周溝を備える内周側環状体、該周溝に各々底部が収容された複数の転動体、および各転動体の頂部を収容する周溝を内周面に備える外周側環状体からなる回転軸受であって、
上記内周側環状体の一方の端部が延長されて環状の取付部を形成していることを特徴とする、該環状取付部を外筒の内周面に複数の転動体を装着してなる直動軸受の前記外筒の端部に嵌め合わせて使用する回転軸受。
【請求項２】
環状取付部を直動軸受の外筒の内周側に嵌め合わせる請求項１に記載の回転軸受。
【請求項３】
環状取付部の先端部の外径が、内周側環状体の外径よりも大きくされている請求項２に記載の回転軸受。
【請求項４】
環状取付部を直動軸受の外筒の外周側に嵌め合わせる請求項１に記載の回転軸受。
【請求項５】
環状取付部の先端部の内径が、内周側環状体の内径よりも大きくされている請求項４に記載の回転軸受。
【請求項６】
環状取付部の先端部の内径が、内周側環状体の外径よりも大きくされている請求項５に記載の回転軸受。
【請求項７】
内周側環状体と外周側環状体との間に、周方向に互いに間隔をあけて複数の透孔が形成されていて、各透孔に上記各転動体を保持する環状の転動体保持器を備える請求項１に記載の回転軸受。
【請求項８】
請求項１乃至７のうちのいずれかの項に記載の回転軸受の二個を一組とする回転軸受の組体。
【発明の詳細な説明】
【技術分野】
【０００１】
本発明は、直動軸受を回転可能に支持するため、この直動軸受の外筒の端部に嵌め合わされて使用される回転軸受に関する。
【背景技術】
【０００２】
特許文献１には、直動軸受をその外筒（アウターレース）の外周面に装着された一対の回転軸受により回転可能に支持した構成の回転軸受付き直動軸受が開示されている。
【０００３】
この回転軸受付き直動軸受は、外筒の内周面に複数の転動体を装着してなる直動軸受と、前記外筒の各端部の外周側に嵌め合わされた回転軸受とから構成されている。各回転軸受は、外周面に周溝を備える内周側環状体と、この周溝に各々底部が収容された複数の転動体と、各転動体の頂部を収容する周溝を内周面に備える外周側環状体とから構成されている。直動軸受の外筒の内側には、支持対象の軸体（モータ出力軸）が支持されている。
【０００４】
軸体は、直動軸受に支持された状態にて長さ方向に直線移動することが可能であり、そして回転軸受に支持された直動軸受と共に周方向に回転移動することが可能である。
【０００５】
特許文献２には、磁気浮上式ターボ分子ポンプの保護用の回転軸受（ラジアル玉軸受）が開示されている。
【０００６】
この回転軸受は、外周面に周溝を備える内周側環状体（内輪）と、この周溝に各々底部が収容された複数の転動体（玉）と、各転動体の頂部を収容する周溝を内周面に備える外周側環状体（外輪）とから構成されていて、そして内周側環状体の熱容量が外周側環状体の熱容量よりも大きくされている。同文献には、上記熱容量の関係を満足させるために、例えば、内周側環状体の幅（軸方向の長さ）が外周側環状体の幅よりも大きくされた回転軸受が開示されている。
【先行技術文献】
【特許文献】
【０００７】
【特許文献１】特開２０００−１４１１５号公報（図２）
【特許文献２】特開平１０−３１１３３９号公報（図１）
【発明の概要】
【発明が解決しようとする課題】
【０００８】
本発明の課題は、回転軸受付き直動軸受を構成する部品としての汎用性に優れる回転軸受を提供することにある。
【課題を解決するための手段】
【０００９】
本発明は、外周面に周溝を備える内周側環状体、前記周溝に各々底部が収容された複数の転動体、および各転動体の頂部を収容する周溝を内周面に備える外周側環状体からなる回転軸受であって、上記内周側環状体の一方の端部が延長されて環状の取付部を形成していることを特徴とする、この環状取付部を外筒の内周面に複数の転動体を装着してなる直動軸受の前記外筒の端部に嵌め合わせて使用する回転軸受にある。
【００１０】
本発明の回転軸受の好ましい態様は、次の通りである。
（１）環状取付部を直動軸受の外筒の内周側に嵌め合わせる。更に好ましくは、環状取付部の先端部の外径が、内周側環状体の外径よりも大きくされている。
（２）環状取付部を直動軸受の外筒の外周側に嵌め合わせる。更に好ましくは、環状取付部の先端部の内径が、内周側環状体の内径よりも大きくされている。特に好ましくは、環状取付部の先端部の内径が、内周側環状体の外径よりも大きくされている。
（３）内周側環状体と外周側環状体との間に、周方向に互いに間隔をあけて複数の透孔が形成されていて、各透孔に上記各転動体を保持する環状の転動体保持器を備える。
（４）上記回転軸受の二個を一組とする回転軸受の組体。
【発明の効果】
【００１１】
本発明の回転軸受は、その内周側環状体の一方の端部に環状取付部が形成されていて、直動軸受の外筒の端部の外周側及び内周側の何れにも容易に嵌め合わせて使用することが可能とされているため、回転軸受付き直動軸受を構成する部品としての汎用性に優れている。
【００１２】
本発明の回転軸受の環状取付部の先端部の外径が内周側環状体の外径よりも大きくされていると、この取付部を直動軸受の外筒の端部の内周側に嵌め合わせることにより、径方向のサイズが小さな回転軸受付き直動軸受を簡単に構成することができる。
【００１３】
本発明の回転軸受の環状取付部の先端部の内径が内周側環状体の内径よりも大きくされていると、この取付部を直動軸受の外筒の端部の外周側に嵌め合わせることにより、回転軸受の位置決めを容易に行なうことができる。更には、この回転軸受の環状取付部の先端部の内径が内周側環状体の外径よりも大きくされていると、この取付部を直動軸受の外筒の端部の外周側に嵌め合わせることにより、径方向のサイズが小さな回転軸受付き直動軸受を簡単に構成することができる。
【図面の簡単な説明】
【００１４】
【図１】本発明の回転軸受の構成例を示す正面図である。
【図２】図１の回転軸受１０の一部切り欠き右側面図である。
【図３】図２の回転軸受１０の使用の態様を示す図である。
【図４】本発明の回転軸受の別の構成例とその使用の態様とを示す図である。
【図５】本発明の回転軸受の更に別の構成例とその使用の態様とを示す図である。
【図６】本発明の回転軸受の更に別の構成例を示す部分断面図である。
【図７】図６の回転軸受６０の使用の態様を示す図である。
【発明を実施するための形態】
【００１５】
本発明の回転軸受を、添付の図面を用いて説明する。図１は、本発明の回転軸受の構成例を示す正面図である。図２は、図１の回転軸受１０の一部切り欠き右側面図である。そして図３は、図２の回転軸受１０の使用の態様を示す図である。
【００１６】
図１〜図３に示す回転軸受１０は、外周面に周溝１１を備える内周側環状体１２、周溝１１に各々底部が収容された複数の転動体１３、および各転動体１３の頂部を収容する周溝１４を内周面に備える外周側環状体１５から構成されている。この回転軸受１０は、内周側環状体１２の一方の端部が延長されて環状の取付部１２ａを形成していることに主な特徴があり、その環状取付部１２ａを、例えば、図３に示すように外筒２１の内周面に複数の転動体２２を装着してなる直動軸受２０の前記外筒２１の端部に嵌め合わせて使用する。
【００１７】
回転軸受１０は、図３に示すように取付部１２ａの先端部の外径と対応する内径を持つ外筒２１を備える直動軸受２０の外筒２１の端部の内周側に嵌め合わせることにより回転軸受付き直動軸受３０を構成することもできるし、あるいは取付部の先端部の内径と対応する外径を持つ外筒を備える直動軸受の外筒の端部の外周側に嵌め合わせることにより回転軸受付き直動軸受を構成することもできるので、回転軸受付き直動軸受を構成する部品としての汎用性に優れている。
【００１８】
図３に示すように、本発明の回転軸受１０の二個を一組とする組体を用意して、各回転軸受１０の取付部１２ａを直動軸受２０の外筒２１の各端部に嵌め合わせることにより、回転軸受付き直動軸受３０を簡単に構成することができる。なお、直動軸受の外筒の一方の端部に本発明の回転軸受を嵌め合わせ、そして他方の端部に公知の回転軸受を取り付けることにより回転軸受付き直動軸受を構成することもできる。
【００１９】
図３に示す回転軸受１０の取付部１２ａは、直動軸受２０の外筒２１の端部の内周側に圧入されて固定されている。取付部１２ａの固定方法に特に制限はないが、上記の圧入による固定方法、あるいは接着剤による固定方法が実用的である。
【００２０】
回転軸受１０の取付部１２ａを備える内周側環状体１２、転動体（例、球体、コロ）１３、そして外周側環状体１５は、例えば、鋼に代表される金属材料から形成される。回転軸受１０の構成は、内周側環状体１２に環状の取付部１２ａが備えられていること以外は公知の回転軸受の場合と同様である。
【００２１】
図１〜図３に示すように、回転軸受１０の環状取付部１２ａの先端部の外径は、内周側環状体１２の外径よりも大きくされていることが好ましい。このような構成の採用により、直動軸受２０の外筒２１の端部の内周側に嵌め合わされる取付部１２ａの外径に対して、内周側環状体１２の厚み、転動体１３の個数や直径、そして外周側環状体１５の厚みを変更することなく、すなわち回転軸受１０の耐荷重性（機械的強度）をほぼ同一の値に維持したまま、その外周側環状体１５の外径を小さくすることができる。従って、この回転軸受１０の取付部１２ａを直動軸受２０の外筒２１の端部の内周側に嵌め合わせることにより、径方向のサイズが小さな回転軸受付き直動軸受３０を簡単に構成することができる。
【００２２】
内周側環状体１２の取付部１２ａの外周面には、外筒２１の端面に接触するフランジ１２ｃが備えられていることが更に好ましい。これにより、直動軸受２０に対する回転軸受１０の位置決めが容易になる。
【００２３】
回転軸受１０の内周側環状体１２と外周側環状体１５との間には、周方向に互いに間隔をあけて複数の透孔１６ａが形成されていて、各透孔１６ａに上記各転動体１３を保持する環状の転動体保持器１６が備えられていることが好ましい。各転動体１３が環状転動体保持器１６の各透孔１６ａに保持されていると、互いに隣接する転動体同士の接触（衝突）が防止されるため、回転軸受１０に支持された直動軸受２０の円滑な回転移動が可能になる。
【００２４】
環状転動体保持器１６は、例えば、鋼に代表される金属材料あるいは樹脂材料から形成される。
【００２５】
環状転動体保持器１６は、上記の複数の透孔１６ａが形成された周壁１６ｂを備えていて、この周壁に各透孔１６ａから周壁の一方の端面（好ましくは内周側環状体１２の取付部１２ａの側の端面）に到達する複数のスリット１６ｃが形成されていることが更に好ましい。このような構成の採用により、回転軸受の組み立てを、例えば、以下の手順に従って簡単に行なうことが可能になる。
【００２６】
先ず、内周側環状体１２の外周側に外周側環状体１５を配置する。次に、内周側環状体１２の周溝１１と外周側環状体１５の周溝１４との間に複数の転動体１３を挿入する。そして、回転軸受１０の場合では、取付部１２ａの側とは逆側から、内周側環状体１２と外周側環状体１５との間に環状転動体保持器１６を挿入する。この際に、各転動体１３が、周壁１６ｂの各スリット１６ｃを通って環状転動体保持器１６の各透孔１６ａに収容されて保持される。このようにして、回転軸受１０を、接着剤や工具を用いることなく簡単に組み立てることができる。
【００２７】
環状転動体保持器１６の周壁１６ｂに形成される各スリット１６ｃの幅（図２：Ｗ）は、転動体１３の直径の０．７〜０．９５倍の範囲内の長さにあることが好ましい。
【００２８】
本発明の回転軸受の取り付け対象である直動軸受、すなわち回転軸受付き直動軸受を構成する直動軸受としては、外筒の内部に複数の転動体（例、球体、コロ）が装着されていて、この外筒の内部に前記の複数の転動体を介して軸体をその長さ方向に滑動可能に収容する公知の直動軸受を用いることができる。直動軸受は、外筒の内部に滑動可能に収容された軸体を周方向に回転可能な状態にて支持するものであっても、周方向に非回転の状態にて支持するものであってもよい。
【００２９】
図３に示す直動軸受２０は、外筒２１とその内周面に装着された複数の転動体（球体）２２などから構成されている。直動軸受２０は、その外筒２１の内部に複数の転動体２２を介して軸体３１をその長さ方向に滑動可能に、かつ周方向には非回転の状態にて支持するものである。直動軸受２０では、転動体２２と軸体３１に形成された溝３１ｂとの係合により、軸体３１の周方向への回転が防止されている。
【００３０】
外筒２１の内側には、各転動体２２を回転可能に保持する筒状転動体保持器２６が備えられている。各転動体２２が筒状転動体保持器２６に保持されていると、軸体３１を外筒２１から抜き出した際の各転動体２２の脱落を防止することができる。
【００３１】
複数の転動体２２は、筒状転動体保持器２６の外周面に形成された環状の転動体収容溝（転動体の軌道）の内部を循環移動する。
【００３２】
筒状転動体保持器２６は、それぞれ外筒２１の内周面に形成された周溝に配置された一対の止め輪（スナップリング）２７により、その長さ方向への移動が防止されている。
【００３３】
直動軸受２０の外筒２１や転動体２２は、例えば、鋼に代表される金属材料から形成され、そして筒状転動体保持器２６や止め輪２７は、例えば、鋼に代表される金属材料あるいは樹脂材料から形成される。これらの部品を形成する材料は、公知の直動軸受の場合と同様であるため、これ以上の詳しい説明は行なわない。
【００３４】
このように、本発明の回転軸受１０を用いて構成される回転軸受付き直動軸受３０は、例えば、電子部品をプリント配線板の表面に装着する装置（以下「電子部品装着装置」という）に有利に用いることができる。
【００３５】
回転軸受付き直動軸受３０は、各回転軸受１０を介して電子部品装着装置に支持される。また、直動軸受２０の外筒２１の周囲には回転駆動装置が接続され、そして軸体３１には直動駆動装置が接続される。
【００３６】
軸体３１には、その中心軸上に透孔３１ａが形成される。軸体３１の透孔３１ａの内部の空気を、軸体３１の一方の端部に接続したポンプを用いて排気することにより、軸体３１の他方の端部に電子部品を吸着することができる。
【００３７】
そして、直動軸受２０の外筒２１に接続された回転駆動装置を作動させて、直動軸受２０を電子部品を吸着した軸体３１と共に回転移動させることにより、この電子部品を所定の向き（角度）に配置することができる。次いで、直動駆動装置を作動させて、軸体３１を長さ方向に滑動させることにより、電子部品を所定の向きに配置した状態で、プリント配線板の表面の所定の位置に移動することができる。
【００３８】
図３において直動軸受２０の左側に配置された回転軸受１０には、その内周側環状体１２の取付部１２ａの側とは逆側の端部が延長されて形成された環状の延長部１２ｂが備えられている。この延長部１２ｂの周囲に、歯車やプーリ等の部品を介して、上記回転駆動装置を接続することもできる。この回転駆動装置を作動させることにより、延長部１２ｂを備える内周側環状体１２を介して、直動軸受２０の外筒２１を軸体３１と共に回転移動させることができる。これにより、回転駆動装置との接続に用いる部品として、サイズの小さな歯車やプーリ等を用いることが可能になる。
【００３９】
図４は、本発明の回転軸受の別の構成例とその使用の態様とを示す図である。図４の回転軸受４０の構成は、内周側環状体４２の取付部４２ａの外周面にフランジが備えられていないこと、そして取付部４２ａの外径が一定とされていること以外は図１の回転軸受１０と同様である。
【００４０】
図４の回転軸受４０には、その内周側環状体４２を取付部４２ａと共に簡単な機械加工により作製することができるという利点がある。
【００４１】
図５は、本発明の回転軸受の更に別の構成例とその使用の態様とを示す図である。図５の回転軸受５０の構成は、取付部５２ａの先端部の外径が内周側環状体５２の外径よりも大きくされていること以外は図４の回転軸受４０と同様である。
【００４２】
図５の回転軸受５０には、内周側環状体５２の取付部５２ａの外周面にフランジが備えられていないためその構成が簡単であり、そして取付部５２ａの先端部の外径が内周側環状体５２の外径よりも大きくされているため、図１の回転軸受１０と同様に小型の回転軸受付き直動軸受を構成することができるという利点がある。
【００４３】
図６は、本発明の回転軸受の更に別の構成例を示す部分断面図である。そして図７は、図６の回転軸受６０の使用の態様を示す図である。
【００４４】
図７に示すように、本発明の回転軸受６０は、直動軸受２０の外筒２１の端部の外周側に嵌め合わせて使用することもできる。
【００４５】
環状取付部６２ａの先端部の内径は、内周側環状体６２の内径よりも大きくされていることが好ましい。これにより、直動軸受２０に対する回転軸受６０の位置決めが容易になる。
【００４６】
環状取付部６２ａの先端部の内径は、内周側環状体６２の外径よりも大きくされていることが更に好ましい。このような構成の採用により、直動軸受２０の外筒２１の端部の外周側に嵌め合わされる取付部６２ａの内径に対して、内周側環状体６２の厚み、転動体１３の個数や直径、そして外周側環状体１５の厚みを変更することなく、すなわち回転軸受６０の耐荷重性（機械的強度）をほぼ同一の値に維持したまま、その外周側環状体１５の外径を小さくすることができる。従って、この回転軸受６０の取付部６２ａを直動軸受２０の外筒２１の端部の外周側に嵌め合わせることにより、径方向のサイズが小さな回転軸受付き直動軸受７０を簡単に構成することができる。
【符号の説明】
【００４７】
１０  回転軸受
１１  周溝
１２  内周側環状体
１２ａ  環状取付部
１２ｂ  環状延長部
１２ｃ  フランジ
１３  転動体
１４  周溝
１５  外周側環状体
１６  環状転動体保持器
１６ａ  透孔
１６ｂ  周壁
１６ｃ  スリット
２０  直動軸受
２１  外筒
２２  転動体
２６  筒状転動体保持器
２７  止め輪
３０  回転軸受付き直動軸受
３１  軸体
３１ａ  透孔
３１ｂ  溝
４０、５０  回転軸受
４２、５２  内周側環状体
４２ａ、５２ａ  環状取付部
６０  回転軸受
６２  内周側環状体
６２ａ  環状取付部
７０  回転軸受付き直動軸受
【図１】
2011106640.tif 000003
【図２】
2011106640.tif 000004
【図３】
2011106640.tif 000005
【図４】
2011106640.tif 000006
【図５】
2011106640.tif 000007
【図６】
2011106640.tif 000008
【図７】
2011106640.tif 000009